(57)【特許請求の範囲】
【請求項１】
光源からの光を所定の波長領域毎に異なった方向に分離し、該分離された照明光としての光を表示パネルに照明する照明光学系と、該表示パネルからの投影光を単数或いは複数画素毎にシフトして投影する投影光学系とを備え、前記照明光はＲＧＢ３色の光が交互に複数配列され、各同一色の光が前記表示パネルの隣合った複数個の画素を照明する構成になっており、前記表示パネルからの投影光を１画素毎にシフトして投影し、該投影される特定の位置に対して、ＯＮ表示する画素を組み合わせる事により、情報表示し、前記各色の複数画素毎の強度分布の差に対応して、ＯＮ表示する画素を決定する事により、階調表現する事を特徴とする表示光学装置。
【請求項２】
前記照明光学系は、前記ＲＧＢ３色の光が照明する一組の画素単位に１つのレンズが対応するマイクロレンズアレイ或いはマイクロシリンダーレンズアレイを有する事を特徴とする請求項１に記載の表示光学装置。
【請求項３】
前記表示パネルからの投影光を、１フレーム中に同一色で別の場所の画素が重なるようにシフトして投影する事を特徴とする請求項１又は請求項２に記載の表示光学装置。
【請求項４】
前記表示パネルからの投影光を、フレーム間に跨って同一色で別の場所の画素が重なるようにシフトして投影する事を特徴とする請求項１又は請求項２に記載の表示光学装置。
【発明の詳細な説明】
【０００１】
【発明の属する技術分野】
本発明は、反射型表示パネルの画像を投影する表示光学装置に関するものである。
【０００２】
【従来の技術】
従来より、映像を表示する方法の一つとして、例えば投影型の表示光学装置が知られている。このような表示光学装置においては、反射型液晶表示パネル等の、いわゆる反射型表示パネルが最近では主に用いられている。そして、このような反射型表示パネル上の光学像を、効率よく均一に照明するために、照明光学系が用いられており、また、照明光学系からの照明光を反射型表示パネルへと導くために、反射型表示パネル直前に配置したマイクロレンズアレイ等が用いられている。
【０００３】
具体的には、例えば反射型表示パネルをいわゆる単板として、画素毎にＲ用，Ｇ用，Ｂ用を順次並べたものを用い、照明光を予めＲＧＢに色分割したものを、角度をＲＧＢ毎に変えて１絵素（１絵素とは表示パネル上のＲＧＢ３画素を１組としたもの）或いは複数絵素ずつマイクロレンズアレイ上の各マイクロレンズに入射させ、それぞれ反射型表示パネルのＲ用，Ｇ用，Ｂ用の画素に集光するようにしている。
【０００４】
図２２は、従来の一例であるマイクロレンズアレイと表示パネルとの関係を模式的に示す図である。これは、特開平４−６０５３８号公報に記載されている如く、単板方式で表示パネルに透過型液晶を用いたプロジェクター光学系に採用されているものである。ここでは表示パネル１６を単板とし、画素毎にＲ用，Ｇ用，Ｂ用を順次並べており、後述する光源１からの光９を予めＲＧＢに色分割したものを、角度をＲＧＢ毎に変えて１絵素ずつマイクロレンズアレイ６１の各マイクロレンズ６１ａに入射させ、それぞれ表示パネル１６のＲ用，Ｇ用，Ｂ用の画素に集光するようにしている。これにより、効率の良い照明を行う事ができる。尚、同図のマイクロレンズアレイ６１及び表示パネル１６の左右は、図示を省略している。
【０００５】
図２３は、特開平９−３１８９０４号公報に記載されている、従来の他の例であるマイクロレンズアレイと表示パネルとの関係を模式的に示す図である。同図に示すように、ここではマイクロレンズアレイ６２のマイクロレンズ６２ａ一つ当たり、光源１からの光９をＲＧＢ３つではなくＲＧＢＲＧＢ…の順の複数絵素の光束にして入射させ、それぞれ表示パネル１６のＲ用，Ｇ用，Ｂ用の画素に集光するようにしている。尚、同図のマイクロレンズアレイ６２及び表示パネル１６の左右は、図示を省略している。
【０００６】
尚、このようなＲＧＢ順に並んだ画素を持つ表示パネルにおいては、いわゆる単板方式でありながら、画素数を増やす事なくいわゆる３板方式と同等の解像度のカラー表示を行える事が望ましい。このため、従来より、ＲＧＢが順にずれるよう、３サイクルを時間的に重ね合わせる、いわゆる色画素時分割方式が行われている。
【０００７】
【発明が解決しようとする課題】
しかしながら、上記図２２で示した従来の一例のような構成では、表示パネルとして用いられる最近の液晶表示パネルは画素ピッチが細かいため、効率の良い構成とするためには、マイクロレンズ６１ａと表示パネル１６の各画素との間隔が非常に短くなり、現実には構成不可能となる。具体的には、最近の液晶表示パネルは、高画素化のため画素ピッチが１０〜２０μｍとなっている。
【０００８】
従来の一例のマイクロレンズアレイ６１のように、表示パネル１６の各画素をＲＧＢそれぞれ１つの光束で照明する場合、マイクロレンズ６１ａと表示パネル１６の各画素との間は、１００μｍ以下の距離となり、実質的にこれらの作成が不可能である。たとえ実際に作成できたとしても、マイクロレンズの曲率が大きく、収差等が生じて良好な照明ができない。
【０００９】
これらの問題を解決するために、上記図２３で示した従来の他の例が有効であるが、このような構成においては、色分割された光束の間隔は、ここでは図示しないレンズアレイによる１段のインテグレータにより予め設定されるため、画面中央に対する周辺等の、大きなスパンでの照明ムラをなくすためには、レンズアレイは相当細かく分割しなければならず、例えば分割の粗い長辺方向でも、４〜７分割以上は必要となる。この場合、逆にマイクロレンズ６２ａと表示パネル１６の各画素が大きく離れてしまい、マイクロレンズ６２ａ個々のＦナンバーが回折限界以下の暗さとなるため、うまく集光しない。
【００１０】
具体的には、レンズアレイによるインテグレータにより、予め光源１からの光９をＲＧＢＲＧＢ…の光束に分けた場合、マイクロレンズ６２ａと表示パネル１６の各画素との間は、５００〜８００μｍ程度と大きくなるが、各マイクロレンズ６２ａのＦナンバーはＦ２０以上となり、回折による結像のボケ量（１．２２×波長λ×Ｆナンバー）が十数ミクロンとなって、画素ピッチと同等になってしまう。このとき、それぞれ細かく分割したＲＧＢの光束は、実質的には画素面上で各画素からはみ出してしまい、色純度の低下や効率の大幅なダウンを引き起こす。
【００１１】
また、一般的にも、１絵素当たりに一つのマイクロレンズを持つマイクロレンズアレイを表示パネル直前に置いた場合、マイクロレンズアレイのＦナンバーが暗く、画素に結像するよりも回折で像がボケる方が大きくなり、返って非効率となる。そして、複数絵素当たりに一つのマイクロレンズを持つマイクロレンズアレイの場合（特開平９−３１８９０４号公報に記載された実施例は殆どこれである）、近接する絵素間に寄与する光源像が異なるため、光源像の明るさの差が、隣合う絵素間といった小さいスパンでの照明ムラを発生する。
【００１２】
本発明は、画素ピッチが細かい表示パネルにおいても、効率の良い構成が可能な、高解像度の表示光学装置を提供する事を目的とする。
【００１３】
【課題を解決するための手段】
上記目的を達成するために、本発明では、光源からの光を所定の波長領域毎に異なった方向に分離し、その分離された照明光としての光を表示パネルに照明する照明光学系と、その表示パネルからの投影光を単数或いは複数画素毎にシフトして投影する投影光学系とを備え、前記照明光はＲＧＢ３色の光が交互に複数配列され、各同一色の光が前記表示パネルの隣合った複数個の画素を照明する構成になっており、前記表示パネルからの投影光を１画素毎にシフトして投影し、その投影される特定の位置に対して、ＯＮ表示する画素を組み合わせる事により、情報表示し、前記各色の複数画素毎の強度分布の差に対応して、ＯＮ表示する画素を決定する事により、階調表現する請求項１の構成とする。
【００１４】
また、前記照明光学系は、前記ＲＧＢ３色の光が照明する一組の画素単位に１つのレンズが対応するマイクロレンズアレイ或いはマイクロシリンダーレンズアレイを有する請求項１に記載の請求項２の構成とする。
【００１５】
また、前記表示パネルからの投影光を、１フレーム中に同一色で別の場所の画素が重なるようにシフトして投影する請求項１又は請求項２に記載の請求項３の構成とする。
【００１６】
また、前記表示パネルからの投影光を、フレーム間に跨って同一色で別の場所の画素が重なるようにシフトして投影する請求項１又は請求項２に記載の請求項４の構成とする。
【００２７】
【発明の実施の形態】
以下、本発明の実施の形態について、図面を参照しながら説明する。図１は、本発明の第１の実施形態の表示光学装置を模式的に示す構成図である。各部の配置は本来３次元的なものであるが、理解を助けるために、平面状に記載している。同図において、１は光源であり、２は光源１を取り囲むように配置されるリフレクターである。また、７はリフレクター２の光の射出口２ａを覆うように配置され、光源１及びリフレクター２からの光に含まれる紫外線及び赤外線をカットするＵＶＩＲカットフィルターである。
【００２８】
ＵＶＩＲカットフィルター７の後方（図の下方）には、Ｒ（赤），Ｇ（緑），Ｂ（青）それぞれの波長領域の光を反射するダイクロイックミラーＲm，Ｇm，Ｂmがそれぞれ異なった傾きで配置されている。そして、光軸ＬでＵＶＩＲカットフィルター７を透過してきた光９が、Ｒm，Ｇm，Ｂmそれぞれのダイクロイックミラーで反射され、それぞれ異なった角度の光軸ＬR，ＬG，ＬBで後方（図の右方）に配置された第１レンズアレイ４に到達するようにしている。尚、ダイクロイックミラーＢmは全反射ミラーでも良い。また、光９のダイクロイックミラーによる反射光は、図示を省略している。
【００２９】
第１レンズアレイ４の後方には、少し離れて第２レンズアレイ６、その直後に重ね合わせレンズ８が配置されている。尚、ここでは図示しないが、第１レンズアレイ４は、格子状に組み合わされた各セルを有しており、第２レンズアレイ６は、第１レンズアレイ４とは別の格子状に組み合わされた各セルを有している。また、第１レンズアレイ４は、複屈折回折格子を有しており、第２レンズアレイ６の各セルの短辺方向に、光源１及びリフレクター２からの光９の偏光分離を行う。第１レンズアレイ４、第２レンズアレイ６を通じて偏光変換が行われ、光源１及びリフレクター２からの光９は特定の偏光に揃えられて出てくる。この構成を偏光変換装置と呼ぶ。これらの詳細な関係については後述する。
【００３０】
また、第２レンズアレイ６とその直後の重ね合わせレンズ８により、後述する表示パネルに、第１レンズアレイ４の各セルの像が重なり合うようにしている。そして、重ね合わせレンズ８の直後の照明光学系１３により、表示パネルをテレセントリック照明する。尚、重ね合わせレンズ８は、第２レンズアレイ６と一体に成形されていても良い。以上の第１レンズアレイ４から重ね合わせレンズ８までを、インテグレータ光学系Ｉと呼び、光軸をＬａとする。
【００３１】
また、照明光学系１３の後方には、ＴＩＲプリズム２２が配置されている。ＴＩＲプリズム２２は、それぞれ三角柱状をしたガラス等より成る大小のプリズム２２ｂ，２２ａの或面同士が向かい合った構成となっている。プリズム２２ｂは、入射面２２ｂａ，射出面を兼ねた全反射面２２ｂｂ，及び入射出面２２ｂｃを有し、プリズム２２ａは、入射面２２ａａ及び射出面２２ａｂを有している。互いに向かい合った全反射面２２ｂｂと入射面２２ａａとの間隔は、数μｍ〜数十μｍとなっている。
【００３２】
照明光学系１３を透過した、光源１及びリフレクター２からの光９は、まず、プリズム２２ｂに対して、光軸Ｌａに沿って、直前のコンデンサーレンズ２３を経て、入射面２２ｂａに入射する。そして、全反射面２２ｂｂに臨界角を超える入射角で入射する事によって、光９はその殆どが反射され、入射出面２２ｂｃより射出し、表示パネル１６に向かう。その直前には、所定の偏光に対してマイクロレンズ効果をもたらす複屈折マイクロシリンダーレンズアレイ１５ａが配置されている。以上説明した構成を、照明光学装置の一例とする。
【００３３】
表示パネル１６はＤＭＤで構成されており、ここに照明された光９を、画素毎に表示情報に応じてＯＮの状態のマイクロミラー或いはＯＦＦの状態のマイクロミラーで反射する。このとき、ＯＮの反射光は、複屈折マイクロシリンダーレンズアレイ１５ａを経て、入射出面２２ｂｃに入射してプリズム２２ｂに戻る。
【００３４】
そして、全反射面２２ｂｂに臨界角以内の入射角で入射してここを透過し、更に入射面２２ａａに入射して、プリズム２２ａを透過して射出面２２ａｂより射出し、光軸Ｌｂに沿って投影光である光２１として投影光学系２４に到る。この投影光学系２４により、表示パネル１６の表示情報が図示しないスクリーンに投影される。尚、光２１は図示を省略している。一方、ＯＦＦの反射光は、プリズム２２ｂ，２２ａを透過しても、最終的に投影光学系２４に到らない方向へと射出する。以上説明した投影光学系とスクリーンの構成を、投影光学装置の一例とする。
【００３５】
この、ＯＮの反射光である光２１の光軸Ｌｂは、本実施形態では後述するように、表示パネル１６の表面に対して垂直とはならない構成であるので、投影光学系２４は共軸系ではない非軸投影光学系とする必要がある。この非軸投影光学系の具体例としては、例えば特開平９−１７９０６４号公報の実施例４に記載されている様なものが提案されている。
【００３６】
図２は、本発明の第１の実施形態の表示光学装置の主要部分を拡大して示す模式図であり、同図（ａ）は全体図、同図（ｂ）は上記インテグレータ光学系部分の側面図である。図１での説明と同様にして、光軸Ｌに沿って入射してきた光９が、Ｒm，Ｇm，Ｂmそれぞれのダイクロイックミラーで反射され、それぞれ異なった角度の光軸ＬR，ＬG，ＬBで後方（図の下方）に配置された第１レンズアレイ４に到達する。尚、同図（ａ）では光９は図示を省略している。
【００３７】
第１レンズアレイ４の後方には、少し離れて第２レンズアレイ６、その直後に重ね合わせレンズ８が配置されている。第１レンズアレイ４は、格子状に組み合わされた各セル４ａを有しており、第２レンズアレイ６は、第１レンズアレイ４とは別の格子状に組み合わされた各セル６ａを有している。ＲＧＢで異なる方向から第１レンズアレイ４に到達した光９は、その個々のセル４ａ毎に、その後方に少し離れて配置された第２レンズアレイ６の個々のセル６ａ上に結像する。このとき、ＲＧＢで光の方向が異なるため、ＲＧＢそれぞれの光源像ができる。それぞれの位置にはほぼ各色がきているが、色純度を上げるため、ＲＧＢのカラーフィルターが設けてある。このカラーフィルターによる光量のロスは少ない。
【００３８】
また、第１レンズアレイ４は、図２（ｂ）に示すように、複屈折回折格子を有しており、第２レンズアレイ６の各セルの短辺方向に、光９の偏光分離を行う。ここでは第１レンズアレイ４、第２レンズアレイ６を通じて偏光変換が行われ、光９は特定の偏光に揃えられて出てくる。この偏光変換の原理を同図（ｂ）で改めて説明する。まず、光９は無偏光の光束で、インテグレータ光学系Ｉに入射する。インテグレータ光学系Ｉは、光束の進む順に、第１レンズアレイ４、１／２波長板５、第２レンズアレイ６、重ね合わせレンズ８より成る。第１レンズアレイ４は、ガラス等より成る基板４ｂ上にブレーズ形状の複屈折回折格子４ｃが形成され、更にそのブレーズ形状部に接する部分に複屈折光学材料４ｄが充填されて、ガラス板４ｅで封印されている。
【００３９】
複屈折光学材料４ｄは、偏光方向の異なる光線に対しては異なる屈折率を示し、本例では、紙面に沿った偏光面を有する光線Ｌ１に対する屈折率と、紙面に垂直な偏光面を有する光線Ｌ２に対する屈折率とが異なっている。また複屈折回折格子４ｃの形状は直進する光を偏向する形状である。ここで、紙面に沿った偏光面を有する光線Ｌ１に対する屈折率と、基板材料の屈折率とを等しくする事により、紙面に沿った偏光面を有する光線Ｌ１は、実線で示されるように複屈折回折格子４ｃが存在しない場合と等価に進行し、紙面に垂直な偏光面を有する光線Ｌ２は、一点鎖線で示されるように複屈折回折格子４ｃが存在する状態で進行するので、偏向を受ける事になる。
【００４０】
一方、第１レンズアレイ４は入射する光９を空間分割し、第２レンズアレイ６上で結像させる。紙面に沿った偏光面を有する光線Ｌ１は直進して結像し、紙面に垂直な偏光面を有する光線Ｌ２は偏向を受けて結像する。従って、紙面に沿った偏光面を有する光線Ｌ１と、紙面に垂直な偏光面を有する光線Ｌ２とは空間的に異なる位置で結像する事になる。そこで第２レンズアレイ６光源側近傍に、前記いずれかの偏光面を有する光束の結像している空間に１／２波長板５を配置する事により、いずれか一方の偏光面を有する光束に揃える事が可能となる。
【００４１】
ここでは光線Ｌ２に対して１／２波長板５を用いている。従って、インテグレータ光学系Ｉからは、全て紙面に対して平行な偏光面に揃えられた偏光が、照明光として射出する事になる。尚、複屈折光学材料は、例えば液晶材料を所定の方向に配向処理する事等により得られる。また、紫外線等の照射を受けると硬化する液晶材料が知られているので、そのような液晶材料を用いて上記配向処理後に紫外線照射等を施すようにしても良い。
【００４２】
続いて、同図（ａ）に戻って説明すると、第２レンズアレイ６とその直後の重ね合わせレンズ８により、表示パネル１６に、第１レンズアレイ４の各セルの像が重なり合うようにしている。そして、重ね合わせレンズ８の直後の照明光学系１３により、表示パネル１６をテレセントリック照明する。ここで、図１でも示したように、表示パネル１６の直前には、複屈折材料により構成される複屈折マイクロシリンダーレンズアレイ１５ａが配置されている。
【００４３】
そして、上記ダイクロイックミラーと第１，第２レンズアレイによってＲＧＢに色分解された光９は、照明光学系１３及びＴＩＲプリズム２２を経て、この複屈折マイクロシリンダーレンズアレイ１５ａの各マイクロシリンダーレンズ１５ａａによって、各色毎に表示パネル１６の数個の画素１６ｂをそれぞれ照明する。尚、マイクロシリンダーレンズ１５ａａの代わりに回折レンズとしても良い。同図の複屈折マイクロシリンダーレンズアレイ１５ａ及び表示パネル１６の左右は、図示を省略している。尚、これらの間には１／４波長板１０が配置されているが、これについては後述する。
【００４４】
本実施形態では、複屈折マイクロシリンダーレンズアレイ１５ａと表示パネル１６との間隔が２ｍｍ〜３ｍｍとなっており、表示パネル１６のＤＭＤの画素１６ｂを保護する保護ガラス１６ａの外側に、複屈折マイクロシリンダーレンズアレイ１５ａを配置するスペースが充分ある。また、図２（ａ）においては、１色当たり４画素を照明する構成となっているが、実際には、保護ガラス１６ａの厚さが２ｍｍ程度であれば、１色当たり６〜１０画素を照明する構成とし、複屈折マイクロシリンダーレンズアレイ１５ａの配置スペースを確保する必要がある。
【００４５】
このようにして、マイクロシリンダーレンズアレイをＤＭＤ素子面から２〜３ｍｍ離す事で、数画素毎にＲＧＢ各色の領域となる照明を行うが、本実施形態では、更に複屈折マイクロシリンダーレンズアレイ１５ａを、同図或いは図１の矢印Ａｗで示すように、その表面に沿って１フレーム内に微細ピッチで或いは連続的に駆動し、画素上の照明光を移動している。そして、これに連動した画素表示を行う事で、全画面において良好なカラー表示を行う事ができる。詳しくは後述する。この場合、図１に示すように、複屈折マイクロシリンダーレンズアレイ１５ａの代わりに、照明光学系１３の一部のレンズを矢印Ｂｗで示すように光軸Ｌａに垂直に駆動するか、照明光学系１３内にミラーを設けてこれを回転駆動する等の構成としても良い。
【００４６】
図３は、複屈折マイクロシリンダーレンズアレイの材料構成を示す模式図である。本実施形態では、表示パネル１６として反射型表示パネルであるＤＭＤを用いているので、この場合、表示パネル１６直前の複屈折マイクロシリンダーレンズアレイ１５ａ（断面がレンズ形のレンチキュラータイプ）には、表示パネル１６へ入射する光９（照明光，実線で示す）と表示パネル１６の各画素１６ｂから反射した光２１（投影光，二点鎖線で示す）との両方が通過する事となる。表示パネル１６へ入射する光９は、前述のように作用するが、反射した光２１は、このままでは複屈折マイクロシリンダーレンズアレイ１５ａにより光線が乱され、画質が劣化する。
【００４７】
これに対処するため、本実施形態では、複屈折マイクロシリンダーレンズアレイ１５ａを、等方性の光学材料と複屈折特性を持つ光学材料とで構成し、さらに、複屈折マイクロシリンダーレンズアレイ１５ａと表示パネル１６との間に、１／４波長板１０を配置している。同図において、表示パネル１６へ入射する光９は、或特定の偏光面、例えば紙面に沿った偏光面を持ち、表示パネル１６で反射した光の内、映像の表示に有効な光２１は、偏光面が回転していて、例えば紙面に垂直な偏光面を持つ。これは、これらの光が合わせて１／４波長板１０を往復通過する際に、１／２波長板としての働きを受ける事によるものである。
【００４８】
そこで、複屈折マイクロシリンダーレンズアレイ１５ａを構成する、マイクロシリンダーレンズ１５ａａより上側にある等方性の光学材料の屈折率をＮとし、マイクロシリンダーレンズ１５ａａより下側にある複屈折材料の、光９の偏光面に対する屈折率をＮｅ、光２１の偏光面に対する屈折率をＮｏとする。このとき、Ｎ＝Ｎｏとする事により、複屈折マイクロシリンダーレンズアレイ１５ａは、光９に対してはマイクロシリンダーレンズアレイとして働き、光２１に対しては単なる透明平板となる。これにより、反射型表示パネルを用いても、光２１の画質を劣化させる事がなくなる。
【００４９】
ところで、このような複屈折マイクロシリンダーレンズアレイを、ＴＩＲプリズム２２と表示パネル１６との間に配置するのではなく、図１で示したコンデンサーレンズ２３とＴＩＲプリズム２２との間に、マイクロシリンダーレンズアレイとして配置する方法がある。これによれば、表示パネル１６との距離が充分確保できる上に、このマイクロシリンダーレンズアレイを照明光のみが通過するだけとなり、図３で説明したような、投影光が乱される問題が生じないようになるので、インテグレータ光学系Ｉで偏光変換する必要がなくなり、マイクロシリンダーレンズアレイにおける複屈折効果も不要となる。このとき、マイクロシリンダーレンズアレイとＤＭＤパネルが大きく離れるので、１色当たり数十画素を照明する構成となる。
【００５０】
図４，図５は、上述した画素上の照明光を移動する事によりカラー表示を行う原理を説明する図である。ここで、図４は、表示パネル上の位置と照明光との関係を示しており、横軸に位置、縦軸に照明光の強度を取っている。また、図５（ａ）〜（ｃ）は、各画素における時間と照明光との関係を示しており、横軸に時間、縦軸に照明光の強度を取っている。そして、同図（ｄ）は、マイクロシリンダーレンズアレイの移動の様子を示しており、横軸に時間、縦軸にマイクロシリンダーレンズアレイの移動量を取っている。これは、上述した照明光学系の移動量の場合もある。
【００５１】
まず、図４において、上記表示パネル１６の各画素１６ｂの内、或一つの画素を選択し、これに番号１を付する。そして、ここから順に右側の画素へと１つずつ整数番号を付して行く。ここで、上記複屈折マイクロシリンダーレンズアレイ１５ａ（或いは照明光学系１３）を駆動する事により、各色の照明領域が、矢印Ｃｗで示すように右側へと一斉に移動する。Ｒ，Ｇ，Ｂ各色の照明領域は、それぞれ破線，実線，点線で示すように、例えば楕円の上半分に近い形の強度分布を持つと仮定している。尚、同図では１色の照明領域に対する画素数は４となっているが、勿論これに限定されるものではない。
【００５２】
今、番号１の画素に注目すると、図５（ａ）に示すように、ここで白表示を行うときは、実線Ｔで示すようにＯＮ表示時間を連続的なものとし、Ｒ，Ｇ，Ｂ全ての色を表示すれば良い。次に、番号７の画素に注目すると、同図（ｂ）に示すように、ここで中程度の明るさの青紫表示を行うときは、実線Ｔ１，Ｔ２で示すように、それぞれＲの照明領域の周辺部（強度が弱い），Ｂの照明領域の中央部（強度が強い）により照明されるときにおいて、それぞれ短時間及び長時間ＯＮ表示すれば良い。
【００５３】
さらに、番号１０の画素に注目すると、同図（ｃ）に示すように、ここで中程度の明るさの緑表示を行うときは、実線Ｔ３で示すように、Ｇの照明領域の周辺から中心にかけて照明される時間だけＯＮ表示すれば良い。以上のようにして、各色の照明領域に対応する表示時間を分割し、その分割された時間を組み合わせる事により、各画素における色合いと階調表現を行う。ここでは表示時間を４分割した例を挙げているが、これに限定されるわけでは勿論無く、更に細かく分割する事により、より微妙な表示を行う事ができる。
【００５４】
ちなみに、いわゆるフルカラー表示を行う場合は、２５５階調の表示が必要である。従来は、表示の階調を表現するには、一様な照明光の間にＯＮにする時間を２５５段階でデジタル制御していた。しかし、本実施形態のように、照明領域内で強度分布が変化する場合は、各色の照明領域に対応する表示時間を２５５分割までする必要はなく、比較的粗く分割された表示時間を組み合わせる事で、同レベルのフルカラー表示を行う事が可能である。
【００５５】
最後に、同図（ｄ）に示すように、本例では複屈折マイクロシリンダーレンズアレイ１５ａを、矢印Ｄｗで示す１フレームの時間を一周期として、微小ピッチで或いは連続的に駆動するが、その中には、元の位置に戻すための、矢印Ｅｗで示すブランク時間が必要であり、その間だけは表示は行わない構成となっている。尚、これまで説明した画素上の照明光を移動する事によりカラー表示を行う構成は、表示パネルに必ずしもＤＭＤを使用する必要はなく、例えば強誘電液晶等のＯＮ，ＯＦＦ切換の応答性の良い素子を使用しても良い。
【００５６】
図６は、本発明の第２の実施形態の表示光学装置を模式的に示す構成図である。各部の配置は本来３次元的なものであるが、理解を助けるために、平面状に記載している。本実施形態は、上記図１で示した第１の実施形態の構成とほぼ同じであるが、ここでは複屈折マイクロシリンダーレンズアレイを駆動するのではなく、投影光学系２４を構成する投影レンズ２４ａを矢印Ｆｗで示すように光軸Ｌｂに垂直に、１フレーム内に１画素ピッチで（或いは連続的に）駆動し、スクリーン２０上の投影光を１画素単位で移動している。そして、これに連動した画素表示を行う事で、全画面において良好なカラー表示を行う事ができる。
【００５７】
図７，図８は、上述したスクリーン上の投影光を移動する事によりカラー表示を行う原理を説明する図である。ここで、図７は、スクリーン上の位置と投影光との関係を経時変化を踏まえて示しており、横軸に位置、縦軸に時間を取っている。また、図８（ａ）〜（ｃ）は、各画素に対応したスクリーン上の位置における時間と投影光との関係を示しており、横軸に時間、縦軸に投影光の強度を取っている。そして、同図（ｄ）は、投影レンズの移動の様子を示しており、横軸に時間、縦軸に投影レンズの移動量を取っている。
【００５８】
まず、図７において、上記表示パネル１６の各画素に対応したスクリーン２０上に投影された画素の内、或一つの画素を選択し、これに番号１を付する。そして、ここから順に右側の画素へと１つずつ整数番号を付して行く。尚、説明の便宜上、付する番号は１から１４までとする。このとき、各色の照明領域は、同図にそれぞれ点線，破線，実線で示すように、Ｂ，Ｒ，Ｇの順に４画素ずつに対応しているものとする。勿論これに限定されるものではない。ここで、上記投影レンズ２４ａを駆動する事により、各色の照明領域及びそれに対応する画素が、同図（ａ）〜（ｃ）で示すように、スクリーン上で右側へと１画素ずつ移動する。実際は更に続いて移動して行く。
【００５９】
図８においては、Ｂ，Ｒ，Ｇ各色の照明領域は、それぞれ点線，破線，実線で示すように、例えば楕円の上半分に近い形の強度分布を持つと仮定している。今、図７に示すスクリーン上の位置ａに注目すると、図８（ａ）に示すように、ここで白表示を行うときは、各画素を実線で示すように、全ての画素をＯＮとし、Ｂ，Ｒ，Ｇ全ての色を表示すれば良い。
【００６０】
次に、図７に示すスクリーン上の位置ｂに注目すると、図８（ｂ）に示すように、ここで中程度の明るさの青紫表示を行うときは、該当する画素を実線で示すように、それぞれＲの照明領域の周辺部（強度が弱い）における例えば番号８の画素、並びにＢの照明領域の中央部（強度が強い）における番号２及び３の画素をＯＮとする。そして、その他の画素を破線で示すようにＯＦＦとすれば良い。
【００６１】
さらに、図７に示すスクリーン上の位置ｃに注目すると、同図（ｃ）に示すように、ここで中程度の明るさの緑表示を行うときは、該当する画素を実線で示すように、Ｇの照明領域の周辺から中心にかけての、例えば番号１１及び１２の画素をＯＮとする。そして、その他の画素を破線で示すようにＯＦＦとすれば良い。以上のようにして、各色の照明領域に対応する各画素を組み合わせる事により、スクリーン上の各位置における色合いと階調表現を行う。ここでは画素の大きさに基づいて表示時間の分割が決まるが、各画素のＯＮ時間を更に細かく刻む事により、より微妙な表示を行う事ができる。即ち、各画素の時間分割と各照明領域の画素数との積で階調表示する。
【００６２】
最後に、図８（ｄ）に示すように、本例では投影レンズ２４ａを、矢印Ｄｗで示す１フレームの時間を一周期として、１画素ピッチで（或いは連続的に）駆動するが、ここでは１フレームの中間時点で逆方向に駆動して、最後に元に戻る構成とする事により、ブランク時間を不要としている。但し、この駆動方法に限定されるわけではなく、上記図５（ｄ）で示した方法を使用しても良いし、上記第１の実施形態で照明光を移動する構成において、図８（ｄ）で示した方法を使用しても良い。尚、これまで説明したスクリーン上の投影光を移動する事によりカラー表示を行う構成は、表示パネルに必ずしもＤＭＤを使用する必要はなく、例えば強誘電液晶等のＯＮ，ＯＦＦ切換の応答性の良い素子を使用しても良い。
【００６３】
以下に説明する図９〜図１１は、ＴＩＲプリズム付近の構成を模式的に示す斜視図である。尚、表示パネル１６の所定の短辺をｃ、長辺をｄとしている。まず、図９は、従来の構成を示している。同図に示すように、ここでは図示しない上記インテグレータＩより、表示パネル１６の短辺ｃに対するアジマス角４５度で、光軸Ｌａに沿ってＴＩＲプリズム２２に到達した照明光としての光９は、プリズム２２ｂの入射面２２ｂａに入射する。そして、全反射面２２ｂｂで反射され、入射出面２２ｂｃより射出し、表示パネル１６に向かう。その直前には、複屈折マイクロシリンダーレンズアレイ１５ａが配置されている。尚、アジマス角の基準は長辺としても良い。
【００６４】
表示パネル１６のＯＮの状態の各画素１６ｂからの反射光（ＯＮの反射光）は、複屈折マイクロシリンダーレンズアレイ１５ａを経て、入射出面２２ｂｃに入射してプリズム２２ｂに戻り、全反射面２２ｂｂを透過する。更に入射面２２ａａに入射して、プリズム２２ａを透過し、射出面２２ａｂより投影光である光２１として、光軸Ｌｂに沿って射出し、図示しない投影光学系に到る。一方、表示パネル１６のＯＦＦの状態の各画素１６ｂからの反射光（ＯＦＦの反射光）は、ＯＮの反射光と同様にしてプリズムを透過するが、最終的に光軸Ｌｃに沿って投影光学系から外れた方向へと射出する。
【００６５】
次に、図１０は、第１の実施形態における構成を示している。同図に示すように、ここでは図示しない上記インテグレータＩより、表示パネル１６の短辺ｃに対するアジマス角略０度で、光軸Ｌａに沿ってＴＩＲプリズム２２に到達した照明光としての光９は、プリズム２２ｂの入射面２２ｂａに入射する。そして、全反射面２２ｂｂで反射され、入射出面２２ｂｃより射出し、表示パネル１６に向かう。以下、図９における説明と同様である。
【００６６】
さらに、図１１は、第２の実施形態における構成を示している。同図に示すように、ここでは図示しない上記インテグレータＩより、表示パネル１６の短辺ｃに対するアジマス角約１４８度で、光軸Ｌａに沿ってＴＩＲプリズム２２に到達した照明光としての光９は、プリズム２２ｂの入射面２２ｂａに入射する。そして、全反射面２２ｂｂで反射され、入射出面２２ｂｃより射出し、表示パネル１６に向かう。その直前には、複屈折マイクロシリンダーレンズアレイ１５ａが配置されている。
【００６７】
表示パネル１６のＯＮの状態の各画素１６ｂからの反射光（ＯＮの反射光）は、複屈折マイクロシリンダーレンズアレイ１５ａを経て、入射出面２２ｂｃに入射してプリズム２２ｂに戻り、全反射面２２ｂｂを透過する。更に入射面２２ａａに入射して、プリズム２２ａを透過し、射出面２２ａｂより投影光である光２１として、光軸Ｌｂに沿って射出し、図示しない投影光学系に到る。一方、表示パネル１６のＯＦＦの状態の各画素１６ｂからの反射光（ＯＦＦの反射光）は、ＯＮの反射光と同様にしてプリズム２２ｂに戻るが、全反射面２２ｂｂで反射され、最終的に光軸Ｌｄに沿って照明側へと戻される。
【００６８】
このような構成とするのは、以下の理由による。即ち、ＤＭＤにおいては、照明光はＯＦＦの状態のマイクロミラーにより、投影光学系から外れた方向に反射されるが、実際にはこのＯＦＦの光もＴＩＲプリズムを透過するので、その一部の光が投影光学系に到達し、スクリーンにフレアとして現れる。
【００６９】
具体的に説明すると、図１と同様にしてＴＩＲプリズム付近の構成を模式的に示す図１２において、照明光としての光９は、プリズム２２ｂに対して、光軸Ｌａに沿って、直前のコンデンサーレンズ２３を経て、入射面２２ｂａに入射する。そして、全反射面２２ｂｂに臨界角を超える入射角で入射する事によって、光９はその殆どが反射され、入射出面２２ｂｃより射出し、表示パネル１６に向かう。その直前には、所定の偏光に対してマイクロレンズ効果をもたらす複屈折マイクロシリンダーレンズアレイ１５ａが配置されている。
【００７０】
表示パネル１６はＤＭＤで構成されており、ここに照明された光９を、画素毎に表示情報に応じてＯＮの状態のマイクロミラー或いはＯＦＦの状態のマイクロミラーで反射する。このとき、ＯＮの反射光は、複屈折マイクロシリンダーレンズアレイ１５ａを経て、入射出面２２ｂｃに入射してプリズム２２ｂに戻る。そして、全反射面２２ｂｂに臨界角以内の入射角で入射してここを透過し、更に入射面２２ａａに入射して、プリズム２２ａを透過して射出面２２ａｂより射出し、光軸Ｌｂに沿って投影光である光２１として投影光学系２４に到る。この投影光学系２４により、表示パネル１６の表示情報が図示しないスクリーンに投影される。
【００７１】
一方、ＯＦＦの反射光は、プリズム２２ｂ，２２ａを透過しても、最終的に投影光学系２４に到らない方向へと光軸Ｌｃに沿って射出するが、その一部の光が投影光学系２４の特にコバの部分に到達し、スクリーンにフレアとして現れてしまう。これを防止するために、図１１のような、ＯＦＦの反射光を完全に遮断する構成が取られる。
【００７２】
以下に説明する図１３〜図１５は、照明光と投影光の角度関係を示す図であり、それぞれ上記図９〜図１１の構成に対応している。各図においては、表示パネル１６を基準とした、これに対する照明光の入射角及び投影光の反射角を、その角度に比例する半径の同心円で示している。また、表示パネル１６の短辺ｃ方向を同心円の中心Ｏを通る横軸で示して、この右方向をアジマス角０度とし、長辺ｄ方向を同じく同心円の中心Ｏを通る縦軸で示して、この上方向をアジマス角９０度としている。
【００７３】
また、図中の破線による丸５１は、ＴＩＲプリズム２２へ入射する照明光の光束の角度範囲を示し、点線による丸５２は、表示パネル１６へ入射する照明光の光束の角度範囲を示している。そして、実線による丸５３は、表示パネル１６から射出するＯＮの反射光（投影光）の光束の角度範囲を示し、一点鎖線による丸５４は、表示パネル１６から射出するＯＦＦの反射光の光束の角度範囲を示している。各丸は、Ｆナンバーが３の場合の光束範囲を示している。さらに、実線による弧５５は、ＴＩＲプリズムの全反射面で反射或いは透過する角度範囲の境界を示しており、斜線で示す側が透過領域である。
【００７４】
まず、図１３は、上記従来の構成における照明光と投影光の角度範囲を示している。同図において、丸５１で示すＴＩＲプリズム２２へ入射する照明光のアジマス角は４５度、表示パネル１６に対する入射角は約１０５度となっている。また、丸５２で示す表示パネル１６へ入射する照明光のアジマス角は４５度、入射角は２０度となっている。そして、丸５３で示す表示パネル１６から射出するＯＮの反射光（投影光）の反射角は０度となっている。さらに、丸５４で示す表示パネル１６から射出するＯＦＦの反射光のアジマス角は２２５度、反射角は４０度となっている。
【００７５】
また、弧５５で示すＴＩＲプリズム２２のアジマス角は４５度、全反射面の表示パネル１６に対する傾きは３０．５度である。同図に示すように、従来の構成では、丸５２で示す表示パネル１６へ入射する照明光と、丸５３で示す表示パネル１６から射出するＯＮの反射光（投影光）とが密接しており、弧５５で示すＴＩＲプリズム２２によって辛うじて分離されている状態であるので、ここではＦナンバーの小さい、明るいレンズを用いる事はできない。
【００７６】
次に、図１４は、上記第１の実施形態の構成における照明光と投影光の角度範囲を示している。同図において、丸５１で示すＴＩＲプリズム２２へ入射する照明光のアジマス角は０度、表示パネル１６に対する入射角は１００度足らずとなっている。また、丸５２で示す表示パネル１６へ入射する照明光のアジマス角は約３０度、入射角は３０度足らずとなっている。そして、丸５３で示す表示パネル１６から射出するＯＮの反射光（投影光）のアジマス角は１８０度、反射角は約１０度となっている。さらに、丸５４で示す表示パネル１６から射出するＯＦＦの反射光のアジマス角は２１０度余り、反射角は４５度余りとなっている。
【００７７】
また、弧５５で示すＴＩＲプリズム２２のアジマス角は−１２度、全反射面の表示パネル１６に対する傾きは３４度である。同図に示すように、第１の実施形態では、丸５２で示す表示パネル１６へ入射する照明光と、丸５３で示す表示パネル１６から射出するＯＮの反射光（投影光）は、それぞれＦ３の範囲に対して余裕があり、ここではＦナンバーの小さい、更に明るいレンズを用いる事ができる。また、ＴＩＲプリズム２２へ入射する照明光は、表示パネル１６の短辺ｃに沿った方向から入射させるため、ＴＩＲプリズム２２を薄く構成する事ができ、また投影光学系２４のレンズバックを短くする事ができる。
【００７８】
このようにして、投影光を表示パネルの垂直方向から若干短辺に沿った方向に傾け、更に非軸投影光学系を用いる事で、Ｆナンバーを稼ぐ事ができる。また、ＴＩＲプリズムの構成方法によって、照明光をほぼ短辺方向と一致させる事により、ＴＩＲプリズムの小型化が可能となり、照明光学系の構成が簡単となる。
【００７９】
一般に、表示パネルの各画素を形成するＤＭＤのマイクロミラーの、（表示パネル短辺に対する）アジマス角４５度，傾き１０度の構成に対し、表示パネルへ入射する照明光がアジマス角１５度〜４０度，入射角１７度〜４５度の範囲内にあると、ＴＩＲプリズムへ入射する照明光が表示パネルの短辺に沿った方向（アジマス角０度）から照明されるように構成しても、Ｆナンバー３以上の明るさを確保する事ができる。このときのＴＩＲプリズムのアジマス角は−１１度〜−１３度とする事により、ＴＩＲプリズムへ入射する照明光はアジマス角は０度近傍となる。
【００８０】
これに対し、表示パネルへ入射する照明光がアジマス角４０度以上，入射角１７度以下のときは、Ｆナンバー４程度しか確保する事ができない。また、アジマス角１５度以下，入射角４５度以上のときは、表示パネルから射出するＯＮの反射光（投影光）の反射角が３０度以上となり、投影光学系に非軸光学系を用いたとしても、収差補正が難しくなる。即ちここでは、投影光学系は、表示パネル表面の法線方向に対し、３〜３０度の角度範囲内に主光線を持つような構成とすれば良い。結論として、ＤＭＤのマイクロミラーのアジマス角をΦ（マイクロミラーが回動する回動軸に垂直な面と表示パネルの短辺との成す角）、ミラーの傾きをθとしたとき、表示パネルへ入射する照明光のアジマス角は０．３３Φ〜０．９Φ、入射角は１．７θ〜４．５θとすれば良い。
【００８１】
最後に、図１５は、上記第２の実施形態の構成における照明光と投影光の角度範囲を示している。同図において、丸５１で示すＴＩＲプリズム２２へ入射する照明光のアジマス角は約１４８度、表示パネル１６に対する入射角は９０度足らずとなっている。また、丸５２で示す表示パネル１６へ入射する照明光のアジマス角は９０度、入射角は１５度足らずとなっている。そして、丸５３で示す表示パネル１６から射出するＯＮの反射光（投影光）のアジマス角は０度、反射角は１５度足らずとなっている。さらに、丸５４で示す表示パネル１６から射出するＯＦＦの反射光のアジマス角は２４０度余り、反射角は３０度余りとなっている。
【００８２】
また、弧５５で示すＴＩＲプリズム２２のアジマス角は１５５度、全反射面の表示パネル１６に対する傾きは４３．５度である。同図に示すように、第２の実施形態では、丸５２で示す表示パネル１６へ入射する照明光と、丸５３で示す表示パネル１６から射出するＯＮの反射光（投影光）とが密接しており、弧５５で示すＴＩＲプリズム２２によって辛うじて分離されている状態であるので、ここではＦナンバーの小さい、明るいレンズを用いる事はできない。また、ＴＩＲプリズム２２へ入射する照明光は、表示パネル１６の短辺ｃに沿った方向から入射させる事ができないので、ＴＩＲプリズムの小型化を図る事はできない。
【００８３】
けれども本実施形態では、丸５４で示す表示パネル１６から射出するＯＦＦの反射光を、ＴＩＲプリズム２２の全反射面の反射領域に持ってくる事ができるので、ＯＦＦの反射光をＴＩＲプリズム２２で全反射させ、通過しないようにする事ができる。これにより、ＯＦＦの反射光が投影光学系に到達する事がなくなり、スクリーン上のフレアを防止する事ができる。結論として、マイクロミラーのアジマス角をΦ、ミラーの傾きをθとしたとき、表示パネルへ入射する照明光のアジマス角は１．８Φ〜３Φ、入射角は１θ〜２θとすれば良い。
【００８４】
ここで、アジマス角１．８Φ以下，入射角１θ以下のときは、ＯＦＦの反射光をＴＩＲプリズムで全反射させる条件において、Ｆナンバー４より暗い値しか確保する事ができない。また、アジマス角３Φ以上，入射角２θ以上のときは、表示パネルから射出するＯＮの反射光（投影光）の反射角が３０度以上となり、投影光学系に非軸光学系を用いたとしても、収差補正が難しくなる。即ちここでは、投影光学系は、表示パネル表面の法線方向に対し、１０〜３０度の角度範囲内に主光線を持つような構成とすれば良い。
【００８５】
ところで、上記第１，第２の実施形態の如く、１つのマイクロ（シリンダー）レンズのピッチが画素ピッチより非常に大きい場合、電気的な制御上、マイクロレンズのピッチ＝画素ピッチ×８の倍数とするのが良い。デジタル処理においては８ｂｉｔをデータ最小単位として扱う事が多い。図２等より分かるように、マイクロレンズのピッチ毎に、同位相の照明がなされるので、この条件から外れると、デジタル制御が難しい。
【００８６】
図１６は、本発明の第３の実施形態の表示光学装置を模式的に示す構成図である。同図において、１は光源であり、２は光源１を取り囲むように配置されるリフレクターである。また、７はリフレクター２の光の射出口２ａを覆うように配置され、光源１及びリフレクター２からの光に含まれる紫外線及び赤外線をカットするＵＶＩＲカットフィルターである。ＵＶＩＲカットフィルター７の後方（図の右方）には、順に複屈折回折格子３、第１レンズアレイ４、少し離れて第２レンズアレイ６、その直後に重ね合わせレンズ８が配置されている。
【００８７】
ここでは図示しないが、第１レンズアレイ４は、格子状に組み合わされた各セルを有しており、第２レンズアレイ６は、第１レンズアレイ４とは異なる方向に区切った長方形の格子状に組み合わされた各セルを有している。複屈折回折格子３は、第２レンズアレイ６の各セルの長辺方向に、光源１及びリフレクター２からの光９の偏光分離を行う。複屈折回折格子３、第１レンズアレイ４、第２レンズアレイ６を通じて偏光変換が行われ、光源１及びリフレクター２からの光９は特定の偏光に揃えられて出てくる。この構成を偏光変換装置と呼ぶ。これらの詳細な関係については後述する。
【００８８】
また、第２レンズアレイ６とその直後の重ね合わせレンズ８により、重ね合わせレンズ８の後述する焦点位置近傍に、第１レンズアレイ４の各セルの像が重なり合うようにしている。尚、重ね合わせレンズ８は、第２レンズアレイ６と一体に成形されていても良い。また、複屈折回折格子３の代わりに、第１レンズアレイ４と第２レンズアレイ６との間に複屈折プリズムアレイ等を配置したものもある。以上の第１レンズアレイ４から重ね合わせレンズ８までを、インテグレータ光学系と呼び、光軸をＬとする。この、重ね合わせレンズ８の焦点位置に表示パネル１６が配置されている。
【００８９】
そして、重ね合わせレンズ８と表示パネル１６との間には、まず、Ｒ（赤），Ｇ（緑），Ｂ（青）それぞれの波長領域の光を反射する色分離装置としてのダイクロイックミラーＲm，Ｇm，Ｂmがそれぞれ異なった傾きで配置され、ダイクロイックミラーの後方（図の上方）には、ＰＢＳ（偏光ビームスプリッター）プリズム１４が配置されている。このとき、光軸Ｌで重ね合わせレンズ８を透過してきた光９が、Ｒm，Ｇm，Ｂmそれぞれのダイクロイックミラーで反射され、それぞれ異なった角度の光軸ＬR，ＬG，ＬBでＰＢＳプリズム１４、ひいては表示パネル１６に到達するようにしている。尚、ダイクロイックミラーＢmは全反射ミラーでも良い。また、光９のダイクロイックミラーによる反射光は、図示を省略している。
【００９０】
このＰＢＳプリズム１４は、Ｓ偏光を反射して、Ｐ偏光を透過する性質を持つ。一方、光源１及びリフレクター２からの光９は、上述した偏光変換によって、ＰＢＳプリズム１４に対してほぼＳ偏光に揃えられて入射する。そのため、ＰＢＳプリズム１４によって、光９はその殆どが反射され、図の左方の表示パネル１６に向かう。
【００９１】
表示パネル１６の直前には、複屈折マイクロレンズアレイ１５が配置されている。このマイクロレンズアレイはマイクロシリンダーレンズアレイ（断面がレンズ形のレンチキュラータイプ）としても良い。そして、上記ダイクロイックミラーによって色分解された光９は、この複屈折マイクロレンズアレイ１５によって、照明光として各色毎に表示パネル１６の異なる画素を照明する。詳しくは後述する。この照明により、表示パネル１６全体は、Ｒ，Ｇ，Ｂの各色それぞれにより順にストライプ状に照明され、各色に照明された画素は各色の情報表示を行う。
【００９２】
表示パネル１６は反射型液晶表示パネルであり、ここに照明された光を、画素毎に表示情報に応じて偏光面を回転させたり（ＯＮ）、回転させなかったり（ＯＦＦ）して反射する。このとき、ＯＦＦの反射光は、複屈折マイクロレンズアレイ１５を経てＰＢＳプリズム１４に戻るが、Ｓ偏光のままであるので、ここで反射され、光源側へと戻される。一方、ＯＮの反射光は、Ｐ偏光に変換されているので、複屈折マイクロレンズアレイ１５を経てＰＢＳプリズム１４に戻ってここを透過し、次の投影光学系１７に到る。尚、反射型液晶表示パネルとして、特に例えば高速応答性が必要な場合は、複屈折の軸方向を変化させる事で変調する強誘電液晶（ＦＬＣ）が用いられる。また、投影光学系１７の光軸をＬｂとする。
【００９３】
この投影光学系１７により、表示パネル１６の表示情報が図示しないスクリーンに投影される。投影光学系１７を形成する投影レンズ群の一部のレンズは、像シフト用レンズ１８として、アクチュエータ１９により、矢印αで示す如く光軸Ｌｂと垂直方向に高速で駆動される。これにより、表示情報を高画素化する事ができる。詳しくは後述する。
【００９４】
図１７は、本実施形態における複屈折回折格子と第１，第２レンズアレイとの関係を模式的に示す分解斜視図である。同図では、レンズアレイ中の一部のセルを代表して示してある。同図に示すように、本実施形態では、第１レンズアレイ４の実線で示す各セルの辺方向と第２レンズアレイ６の破線で示す各セルの辺方向とが異なるようにし、複屈折回折格子３のブレーズ３ａの溝方向を第２レンズアレイ６の各セルの辺方向に沿うようにしている。具体的には第１レンズアレイ４の各セルの辺方向の対角線方向が第２レンズアレイ６の各セルの辺方向となるようにしている。
【００９５】
図の左斜め下方に位置する図示しない上記光源１及びリフレクター２からの光９は、複屈折回折格子３のブレーズ３ａにより、実線で示す所定偏光面を持つ光９ａと、それとは垂直な偏光面を持つ破線で示す光９ｂとに偏光分離される。これらの光は、第１レンズアレイ４の格子状に並んだ個々のセルＡ，Ｂ，Ｃ，Ｄを透過し、第１レンズアレイ４とは異なる方向に区切った長方形の格子状に並んだ第２レンズアレイ６の個々のセルＡａ，Ｂａ，Ｃａ，Ｄａ上に、所定偏光面を持つ光源像と、それとは垂直な偏光面を持つ光源像とをそれぞれ作り出す。
【００９６】
セルＡ，Ｂ，Ｃ，Ｄから、異なった方向に並ぶセルＡａ，Ｂａ，Ｃａ，Ｄａに光源像を作るために、第１レンズアレイ４のＡ，Ｂ，Ｃ，Ｄ各セルは個々に若干傾いているか、レンズ頂点が偏心している。即ちレンズ頂点がセルの中心からずれている。同様に、第２レンズアレイ６の各セルＡａ，Ｂａ，Ｃａ，Ｄａも個々に傾いているか、レンズ頂点が偏心している。
【００９７】
これら互いの光源像は、複屈折回折格子３による分離方向、即ち第２レンズアレイ６の各セルの長辺方向に並び、正しく列を成す。また、これらの光源像は、実線及び破線の楕円（レンズアレイの正面から見れば円）で示すように、第２レンズアレイ６の個々のセル上に、或程度の大きさを持って投影される。ちなみに、本例の座標系は、光源側から見た第１レンズアレイ４の正面に向かって上方をｙ軸、右方をｘ軸としており、第２レンズアレイ６の正面に向かって、各セルの辺方向に沿った右斜め上方向をｙａ軸、右斜め下方向をｘａ軸としている。
【００９８】
このような構成によれば、第２レンズアレイ６における光源像の重なりが少なく、効率の良い偏光変換を行う事ができる。このとき、例えば破線の楕円で示した光源像の列に沿って、１／２波長板５を帯状にしたものを貼付し、分離した光源像の偏光面を揃えれば良い。ちなみに、第１，第２レンズアレイの各セルが同列方向（辺方向が同じ）に並んだ従来の方式と、本実施形態の光源サイズ及び第２レンズアレイ６のセルの面積は等しい。
【００９９】
本実施形態のようにインテグレータが１段の場合、第１レンズアレイ４のセルは、表示パネル１６のアスペクト比にほぼ等しくする必要がある。このような場合でも、第１レンズアレイ４の各セルの辺方向と第２レンズアレイ６の各セルの辺方向とが異なるようにする事により、従来のように辺方向が同じ場合より効率がよい。図１８は、インテグレータが１段の場合の第１，第２レンズアレイの位置関係を模式的に示す正面図であり、アスペクト比が４：３の場合を示している。同図に示すように、ここでは第１レンズアレイ４の実線で示す各セルの一つの対角線方向が、第２レンズアレイ６の破線で示す各セルの長辺方向となるようにしている。
【０１００】
ここでは図示しない上記光源１及びリフレクター２からの光９は、これも図示しない複屈折回折格子３により、所定偏光面を持つ光と、それとは垂直な偏光面を持つ光とに偏光分離される。これらの光は、第１レンズアレイ４のアスペクト比が４：３の格子状に並んだ個々のセルＡ，Ｂ，Ｃ，Ｄ，Ｅ，Ｆを透過し、第１レンズアレイ４とは異なる方向に区切った長方形の格子状に並んだ第２レンズアレイ６の個々のセルＡａ，Ｂａ，Ｃａ，Ｄａ，Ｅａ，Ｆａ上に、所定偏光面を持つ光源像と、それとは垂直な偏光面を持つ光源像とをそれぞれ作り出す。
【０１０１】
これら互いの光源像は、複屈折回折格子３による分離方向に並び、正しく列を成す。また、これらの光源像は、実線及び破線の円で示すように、第２レンズアレイ６の個々のセル上に、或程度の大きさを持って投影される。ちなみに、本例の座標系は、光源側から見た第１レンズアレイ４の正面に向かって上方をｙ軸、右方をｘ軸としており、第２レンズアレイ６の正面に向かって、各セルの辺方向に沿った右斜め上方向をｙａ軸、右斜め下方向をｘａ軸としている。
【０１０２】
本実施形態では、図１７に示すように、複屈折回折格子３の複屈折方向をブレーズ３ａの溝方向となるｙａ軸方向に揃えているので、偏光分離を行った実線及び破線で示す２種の光９ａ，９ｂ、ひいては実線及び破線の楕円で示す２種の光源像は、偏光面がそれぞれｘａ軸，ｙａ軸方向となる。ところが、これらの光が次に入射する光学系のためには、偏光面はｙ軸方向に揃える必要があるので、２種の光源像の列それぞれに、互いに４５゜で交わる異なった光学軸を持つ帯状の１／２波長板を用いて、偏光面を同時に揃えるようにしている。
【０１０３】
尚、偏光面を揃える他の方法として、まず、２種の光源像の内の一方の光源像の列に帯状の１／２波長板を用いて、他方の光源像と偏光面を揃えるようにした上で、偏光面全体を一挙にｙ軸方向に揃える１／２波長板を第２レンズアレイ６全面に用いる事も可能である。また、複屈折回折格子３の複屈折方向を、ブレーズ３ａの溝方向即ち第２レンズアレイ６の各セルの長辺或いは短辺方向ではなく、第１レンズアレイ４の各セルの長辺或いは短辺方向となるようにしても良い。また、複屈折回折格子を用いる方法以外の偏光分離の方法を行っても良い。
【０１０４】
図１９は、本実施形態における複屈折マイクロレンズアレイと表示パネルとの関係を模式的に示す図である。図１６でも示したように、表示パネル１６の直前には、複屈折材料により構成される複屈折マイクロレンズアレイ１５が配置されている。そして、上記ダイクロイックミラーによってＲＧＢに色分解された光９は、この複屈折マイクロレンズアレイ１５によって、各色毎に表示パネル１６の隣合った同一の複数画素をそれぞれ照明する。本実施形態では同一の画素が２個隣合っており、それが各色毎に配置されている状態、即ちＲ１，Ｒ２、Ｇ１，Ｇ２、Ｂ１，Ｂ２の様に配置されている。
【０１０５】
ここでは光９を、角度をＲＧＢ毎に変えて複数画素（ここでは２画素）×３色の画素単位で複屈折マイクロレンズアレイ１５の各マイクロレンズ１５ｂに入射させ、それぞれ表示パネル１６のＲ１，Ｒ２、Ｇ１，Ｇ２、Ｂ１，Ｂ２の画素に集光するようにしている。このように、同一の複数画素が隣合うように配置する事で、各マイクロレンズの焦点距離が長くなり、効率の良い構成が可能となる。尚、同図の複屈折マイクロレンズアレイ１５及び表示パネル１６の左右は、図示を省略している。
【０１０６】
図２０は、複屈折マイクロレンズアレイの材料構成を示す模式図である。本実施形態では、表示パネル１６として反射型液晶表示パネルを用いているので、この場合、表示パネル１６直前の複屈折マイクロレンズアレイ１５には、表示パネル１６へ入射する光９（照明光）と表示パネル１６から反射した光２１（投影光）との両方が通過する事となる。表示パネル１６へ入射する光９は前述のように作用するが、反射した光２１は、このままでは複屈折マイクロレンズアレイ１５により光線が乱され、画質が劣化する。
【０１０７】
これに対処するため、本実施形態では、複屈折マイクロレンズアレイ１５を、等方性の光学材料と複屈折特性を持つ光学材料とで構成している。同図において、表示パネル１６へ入射する光９は、或特定の偏光面、例えば紙面に垂直な偏光面を持ち、反射した光の内、映像の表示に有効な光２１は偏光面が回転していて、例えば紙面に沿った偏光面を持つ。
【０１０８】
そこで、複屈折マイクロレンズアレイ１５を構成する、マイクロレンズ１５ｂより上側にある等方性の光学材料の屈折率をＮとし、マイクロレンズ１５ｂより下側にある複屈折材料の、光９の偏光面に対する屈折率をＮｅ、光２１の偏光面に対する屈折率をＮｏとする。このとき、Ｎ＝Ｎｏとする事により、複屈折マイクロレンズアレイ１５は、光９に対してはマイクロレンズアレイとして働き、光２１に対しては単なる透明平板となる。これにより、反射型表示パネルを用いても、光２１の画質を劣化させる事がなくなる。
【０１０９】
但し、同図では、説明のために、光９が表示パネル１６に対して斜め方向に入射し、光２１として反対側の斜め方向へと反射する形で描いているが、実際は光９，光２１共、主な光軸は表示パネル１６に対して垂直である。尚、同図の複屈折マイクロレンズアレイ１５及び表示パネル１６の左右は、図示を省略している。また、以上に述べてきた光源１から複屈折マイクロレンズアレイ１５までの構成を、照明光学系と呼ぶ。
【０１１０】
図２１は、投影光学系における画素シフトの原理を模式的に示す斜視図である。本実施形態では、上記表示パネル１６は単板であるので、例えば解像度がＸＧＡ（１０２４画素×７６８画素）の表示を行うためには、ＲＧＢ各色に対してそれぞれ画素が必要であるので、そのままでは１つの表示パネルでＸＧＡ画素の３倍の画素が必要となり、表示パネルが大きくなってコストもかかる。そこで、単板でありながら表示パネルの画素数をＸＧＡと同じにして、スクリーンに表示する画素を高速でずらす事により、カラーのＸＧＡ表示が可能となる。
【０１１１】
具体的には、同図の投影光学系１７の一部のレンズを、像シフト用レンズ１８として、矢印αで示す如く光軸Ｌｂと垂直方向に高速で駆動する。このとき、表示パネル１６からの投影光の内、代表的にＢの光に注目すると、同図（ａ）においてスクリーン２０上でＢ１，Ｂ２の列であった位置に、矢印βで示すように同図（ｂ）においてそれぞれＧ１，Ｇ２の列が来るようにし、更に矢印γで示すように同図（ｃ）においてそれぞれＲ１，Ｒ２の列が来るようにする。そして、最後には矢印δで示すように同図（ａ）の状態に戻る。以上のように３つの状態を高速で繰り返す。また、各状態に応じて表示の内容も切り替えて制御を行い、シフトして時間的に重ね合わせた画像でカラー表示を行う。
【０１１２】
像シフト用レンズ１８の駆動は、図１６で述べたアクチュエータ１９により、画素サイズと同オーダー、即ち１０μｍから数１０μｍの単位で行われる。アクチュエータとしては、例えばＭＣ（ムービングコイル）やＭＭ（ムービングマグネット）等が、高出力で高速駆動するのに適している。
【０１１３】
上述した画素シフトの構成を例１として改めて示すと、以下のようになる。
Ｒ１Ｒ２Ｇ１Ｇ２Ｂ１Ｂ２・・・・・・・・  （１フレーム目）
・・・・Ｒ１Ｒ２Ｇ１Ｇ２Ｂ１Ｂ２・・・・
・・・・・・・・Ｒ１Ｒ２Ｇ１Ｇ２Ｂ１Ｂ２
Ｒ１Ｒ２Ｇ１Ｇ２Ｂ１Ｂ２・・・・・・・・  （２フレーム目）
【０１１４】
本例ではスクリーン上で、表示パネルの同一色の複数画素ずつ画素シフトする機構により、１フレーム中に３段階でシフトを行い、次のフレームの初めに元へ戻るが、この構成では光源に強度ムラがあった場合、同一色で別の場所の画素（例えばＲ１とＲ２）で明るさの差が生じる。
【０１１５】
これを防止するための画素シフトの構成を、例２として以下に示す。
Ｒ１Ｒ２Ｇ１Ｇ２Ｂ１Ｂ２・・・・・・・・・・  （１フレーム目）
・・Ｒ１Ｒ２Ｇ１Ｇ２Ｂ１Ｂ２・・・・・・・・
・・・・Ｒ１Ｒ２Ｇ１Ｇ２Ｂ１Ｂ２・・・・・・
・・・・・・Ｒ１Ｒ２Ｇ１Ｇ２Ｂ１Ｂ２・・・・
・・・・・・・・Ｒ１Ｒ２Ｇ１Ｇ２Ｂ１Ｂ２・・
・・・・・・・・・・Ｒ１Ｒ２Ｇ１Ｇ２Ｂ１Ｂ２
Ｒ１Ｒ２Ｇ１Ｇ２Ｂ１Ｂ２・・・・・・・・・・  （２フレーム目）
【０１１６】
本例ではスクリーン上で、表示パネルの同一色で別の場所の画素が重なるように画素シフトする機構により、１フレーム中に６段階でシフトを行い、次のフレームの初めに元へ戻る構成である。これにより明るさムラを抑える事ができるが、ここでは画素シフトの駆動制御を頻繁に行う必要が生じる。
【０１１７】
駆動制御に余裕を持たせたままで明るさムラを防止するための画素シフトの構成を、例３として以下に示す。
0004147698.tif 000002
【０１１８】
本例ではスクリーン上で表示パネルの同一色の複数画素ずつ画素シフトする機構により、１フレーム中に３段階でシフトを行い、次のフレームの初めに、表示パネルの同一色で別の場所の画素が重なる位置に戻り、同様に３段階でシフトを行って、更に次のフレームの初めに、最初の位置に戻る構成である。尚、以上に説明した画素シフトの構成では、同一色の画素が２個隣合って並ぶ例を示したが、これに限定される訳では勿論なく、実際は数個隣合う構成も可能であり、画素シフトの構成も様々な組み合わせが考えられる。
【０１１９】
図２４は、本発明の第４の実施形態の表示光学装置を模式的に示す構成図である。各部の配置は本来３次元的なものであるが、理解を助けるために、平面状に記載している。同図において、１は光源であり、２は光源１を取り囲むように配置されるリフレクターである。また、７はリフレクター２の光の射出口２ａを覆うように配置され、光源１及びリフレクター２からの光に含まれる紫外線及び赤外線をカットするＵＶＩＲカットフィルターである。
【０１２０】
ＵＶＩＲカットフィルター７の後方（図の右方）には、第１レンズアレイ４、少し離れて第２レンズアレイ６、その直後に重ね合わせレンズ８が配置されている。尚、ここでは図示しないが、第１レンズアレイ４は、格子状に組み合わされた各セルを有しており、第２レンズアレイ６は、第１レンズアレイ４とは別の格子状に組み合わされた各セルを有している。各セルの長辺と短辺との長さの比は、後述する表示パネルの表示面のそれと同じ、即ち相似形になっている。また、第２レンズアレイ６と重ね合わせレンズ８との間には、後述するマスク板３１が設けられている。
【０１２１】
そして、第１レンズアレイ４は、複屈折回折格子を有しており、第２レンズアレイ６の各セルの短辺方向に、光源１及びリフレクター２からの光９の偏光分離を行う。第１レンズアレイ４、第２レンズアレイ６を通じて偏光変換が行われ、光源１及びリフレクター２からの光９（不図示）は特定の偏光に揃えられて出てくる。この構成を偏光変換装置と呼ぶ。これらの詳細な関係については後述する。
【０１２２】
また、第２レンズアレイ６とその直後の重ね合わせレンズ８により、後述する表示パネルに、第１レンズアレイ４の各セルの像が重なり合うようにしている。尚、重ね合わせレンズ８は、第２レンズアレイ６と一体に成形されていても良い。以上の第１レンズアレイ４から重ね合わせレンズ８までを、インテグレータ光学系Ｉと呼び、光軸をＬとする。この、重ね合わせレンズ８の焦点位置にコンデンサーレンズ３２が配置されている。或いは、より照明の効率をよくするために、重ね合わせレンズ８とコンデンサーレンズ３２の合成焦点位置を表示パネルとしても良い。本件では説明しやすくするために、前者の構成としている。
【０１２３】
そして、重ね合わせレンズ８とコンデンサーレンズ３２との間に、Ｒ（赤），Ｇ（緑），Ｂ（青）それぞれの波長領域の光を反射する色分解光学系としてのダイクロイックミラーＲm，Ｇm，Ｂmがそれぞれ異なった傾きで配置されている。そして、光軸ＬでＵＶＩＲカットフィルター７を透過してきた光９が、Ｒm，Ｇm，Ｂmそれぞれのダイクロイックミラーで反射され、それぞれ異なった角度の光軸ＬR，ＬG，ＬB（それぞれ破線，実線，点線で示す）で後方（図の下方）に配置されたコンデンサーレンズ３２に到達するようにしている。尚、ダイクロイックミラーＢmは全反射ミラーでも良い。
【０１２４】
コンデンサーレンズ３２の後方（図の下方）には、マイクロシリンダーレンズアレイ３３が配置されている。このマイクロシリンダーレンズアレイはマイクロレンズアレイとしても良い。更にその後方には、ＰＢＳ（偏光ビームスプリッター）プリズム１４が配置されている。このＰＢＳプリズム１４は、Ｓ偏光を反射して、Ｐ偏光を透過する性質を持つ。一方、光源１及びリフレクター２からの光９は、上述した偏光変換によって、ＰＢＳプリズム１４に対してほぼＳ偏光に揃えられて、光軸Ｌａに沿って入射する。
【０１２５】
そのため、ＰＢＳプリズム１４によって、光９はその殆どが反射され、図の左方の表示パネル１６に向かう。そして、上記ダイクロイックミラーによって色分解された光９は、上記マイクロシリンダーレンズアレイ３３によって、照明光として各色毎に表示パネル１６の異なる画素を照明する。詳しくは後述する。この照明により、表示パネル１６全体は、Ｒ，Ｇ，Ｂの各色それぞれにより順にストライプ状に照明され、各色に照明された画素は各色の情報表示を行う。以上説明した構成を、照明光学装置の一例とする。
【０１２６】
表示パネル１６は反射型液晶表示パネルであり、強誘電液晶，高速ＴＮ型液晶等のＯＮ，ＯＦＦ切換の応答性の良い素子が使用される。そして、ここに照明された光を、画素毎に表示情報に応じて偏光面を回転させたり（ＯＮ）、回転させなかったり（ＯＦＦ）して反射する。このとき、ＯＦＦの反射光はＰＢＳプリズム１４に戻るが、Ｓ偏光のままであるので、ここで反射され、光源側へと戻される。
【０１２７】
一方、ＯＮの反射光は、Ｐ偏光に変換されているので、ＰＢＳプリズム１４に戻ってここを透過し、光軸Ｌｂに沿って投影光である光２１として次の投影光学系１７に到る。この投影光学系１７により、表示パネル１６の表示情報が図示しないスクリーンに投影される。尚、光２１は図示を省略している。以上説明した投影光学系及びスクリーンの構成を、投影光学装置の一例とする。
【０１２８】
図２５は、本発明の第５の実施形態の表示光学装置を模式的に示す構成図である。各部の配置は本来３次元的なものであるが、理解を助けるために、平面状に記載している。同図において、１は光源であり、２は光源１を取り囲むように配置されるリフレクターである。また、７はリフレクター２の光の射出口２ａを覆うように配置され、光源１及びリフレクター２からの光に含まれる紫外線及び赤外線をカットするＵＶＩＲカットフィルターである。
【０１２９】
ＵＶＩＲカットフィルター７の後方（図の右方）には、第１レンズアレイ４、少し離れて第２レンズアレイ６、その直後に重ね合わせレンズ８が配置されている。尚、ここでは図示しないが、第１レンズアレイ４は、格子状に組み合わされた各セルを有しており、第２レンズアレイ６は、第１レンズアレイ４とは別の格子状に組み合わされた各セルを有している。各セルの長辺と短辺との長さの比は、後述する表示パネルの表示面のそれと同じ、即ち相似形になっている。また、第２レンズアレイ６と重ね合わせレンズ８との間には、後述するマスク板３１が設けられている。
【０１３０】
また、第２レンズアレイ６とその直後の重ね合わせレンズ８により、後述する表示パネルに、第１レンズアレイ４の各セルの像が重なり合うようにしている。尚、重ね合わせレンズ８は、第２レンズアレイ６と一体に成形されていても良い。以上の第１レンズアレイ４から重ね合わせレンズ８までを、インテグレータ光学系Ｉと呼び、光軸をＬとする。この、重ね合わせレンズ８の焦点位置にコンデンサーレンズ３２が配置されている。
【０１３１】
そして、重ね合わせレンズ８とコンデンサーレンズ３２との間に、Ｒ（赤），Ｇ（緑），Ｂ（青）それぞれの波長領域の光を反射する色分解光学系としてのダイクロイックミラーＲm，Ｇm，Ｂmがそれぞれ異なった傾きで配置されている。そして、光軸ＬでＵＶＩＲカットフィルター７を透過してきた光９が、Ｒm，Ｇm，Ｂmそれぞれのダイクロイックミラーで反射され、それぞれ異なった角度の光軸ＬR，ＬG，ＬB（それぞれ破線，実線，点線で示す）で後方（図の下方）に配置されたコンデンサーレンズ３２に到達するようにしている。尚、ダイクロイックミラーＢmは全反射ミラーでも良い。
【０１３２】
コンデンサーレンズ３２の後方（図の下方）には、マイクロシリンダーレンズアレイ３３が配置されている。このマイクロシリンダーレンズアレイはマイクロレンズアレイとしても良い。また、マイクロシリンダーレンズアレイ３３の後方には、ＴＩＲプリズム２２が配置されている。ＴＩＲプリズム２２は、それぞれ三角柱状をしたガラス等より成るプリズム２２ｂ，２２ａの或面同士が向かい合った構成となっている。プリズム２２ｂは、入射面２２ｂａ，射出面を兼ねた全反射面２２ｂｂ，及び入射出面２２ｂｃを有し、プリズム２２ａは、入射面２２ａａ及び射出面２２ａｂを有している。互いに向かい合った全反射面２２ｂｂと入射面２２ａａとの間隔は、数μｍ〜数十μｍとなっている。
【０１３３】
コンデンサーレンズ３２を透過した、光源１及びリフレクター２からの光９は、まず、プリズム２２ｂに対して、光軸Ｌａに沿って入射面２２ｂａに入射する。そして、全反射面２２ｂｂに臨界角を超える入射角で入射する事によって、光９はその殆どが反射され、入射出面２２ｂｃより射出し、照明光として表示パネル１６に向かう。以上説明した構成を、照明光学装置の一例とする。表示パネル１６はＤＭＤで構成されており、ここに照明された光９を、画素毎に表示情報に応じてＯＮの状態のマイクロミラー或いはＯＦＦの状態のマイクロミラーで反射する。このとき、ＯＮの反射光は、入射出面２２ｂｃに入射してプリズム２２ｂに戻る。
【０１３４】
そして、全反射面２２ｂｂに臨界角以内の入射角で入射してここを透過し、更に入射面２２ａａに入射して、プリズム２２ａを透過して射出面２２ａｂより射出し、光軸Ｌｂに沿って投影光である光２１として投影光学系２４に到る。この投影光学系２４により、表示パネル１６の表示情報が図示しないスクリーンに投影される。尚、光２１は図示を省略している。一方、ＯＦＦの反射光は、プリズム２２ｂ，２２ａを透過しても、最終的に投影光学系２４に到らない方向へと射出する。
【０１３５】
以上説明した投影光学系及びスクリーンの構成を、投影光学装置の一例とする。尚、表示パネル１６としてＤＭＤの代わりに強誘電液晶，高速ＴＮ型液晶等を使用する事もできるが、その場合は偏光板が別途必要となる。具体的には、ＴＩＲプリズム２２の照明光入射側と投影光射出側とに、それぞれ偏光板を互いに偏光面が光学的に直交するように配設するか、或いはＴＩＲプリズム２２と表示パネル１６との間に偏光板を配置する必要がある。
【０１３６】
図２６は、本発明の第４或いは第５の実施形態の表示光学装置の主要部分を拡大して示す模式図であり、同図（ａ）は全体図、同図（ｂ）は上記インテグレータ光学系部分の側面図である。図２４，図２５での説明と同様にして、光軸Ｌに沿って入射してきた光９は、インテグレータ光学系Ｉの第１レンズアレイ４に到達する。第１レンズアレイ４の後方（図の下方）には、少し離れて第２レンズアレイ６、その直後に重ね合わせレンズ８が配置されている。第２レンズアレイ６と重ね合わせレンズ８との間には、第２レンズアレイ６の各セルの開口幅を規制する開口部であるスリット３１ａを有するマスク板３１が設けられている。詳しくは後述する。
【０１３７】
第１レンズアレイ４は、格子状に組み合わされた各セル４ａを有しており、第２レンズアレイ６は、第１レンズアレイ４とは別の格子状に組み合わされた各セル６ａを有している。これら各セルは、同図（ａ）の左右方向を長辺方向としている。第１レンズアレイ４に到達した光９は、その個々のセル４ａ毎に、その後方に少し離れて配置された第２レンズアレイ６の個々のセル６ａ上に結像する。
【０１３８】
また、第１レンズアレイ４は、同図（ｂ）に示すように、複屈折回折格子を有しており、第２レンズアレイ６の各セルの短辺方向に、光９の偏光分離を行う。ここでは第１レンズアレイ４、第２レンズアレイ６を通じて偏光変換が行われ、光９は特定の偏光に揃えられて出てくる。この偏光変換の原理は、上記図２（ｂ）で説明した内容と同じである。但し、このような偏光変換装置は、ＤＭＤ，ＴＩＲプリズムを使用する上記図２５で示した第５の実施形態の構成においては不要である。
【０１３９】
続いて、図２６（ａ）に戻って説明すると、第２レンズアレイ６とその直後の重ね合わせレンズ８により、後述する表示パネル１６に、第１レンズアレイ４の各セルの像が重なり合うようにしている。重ね合わせレンズ８から出た光９は、Ｒm，Ｇm，Ｂmそれぞれのダイクロイックミラーで反射され、ＲＧＢに色分解されてそれぞれ異なった角度の光軸ＬR，ＬG，ＬB（それぞれ破線，実線，点線で示す）で後方（図の右方）に配置されたコンデンサーレンズ３２に到達する。
【０１４０】
そして、マイクロシリンダーレンズアレイ３３及び照明・投影分離光学系３４を経て、このマイクロシリンダーレンズアレイ３３の各マイクロシリンダーレンズ３３ａの働きによって、各色毎に表示パネル１６を照明する。尚、マイクロシリンダーレンズ３３ａの代わりに回折レンズとしても良い。また、照明・投影分離光学系３４とは、上記図２４に示した第４の実施形態におけるＰＢＳプリズム１４、或いは上記図２５に示した第５の実施形態におけるＴＩＲプリズム２２のように、照明光と投影光の分離を行う光学系を意味している。
【０１４１】
このようにして、照明・投影分離光学系の直前（照明側入射位置）にマイクロシリンダーレンズアレイを配置する事で、数十画素毎にＲＧＢ各色の領域となる照明を行うが、更にマイクロシリンダーレンズアレイ３３を、図２６或いは図２４，図２５の矢印Ｇｗで示すように、その表面に沿って１フレーム内に微細ピッチで或いは連続的に駆動し、画素上の照明光を移動している。そして、これに連動した画素表示を行う事で、全画面において良好なカラー表示を行う事ができる。
【０１４２】
具体的には、図２７に示すように、表示パネル１６上にＲＧＢ各色でストライプ状の照明（以下、単にストライプと呼ぶ）を行い、これを矢印Ｇｗで示す方向に、１フレームの時間を一周期として移動させる。ここでのストライプｓのピッチは１〜２ｍｍであり、表示パネル１６の画素の大きさと比較すると粗いものとなっている。このようにして、各画素に対してそれぞれＲＧＢの光が順次照明される構成となっている。
【０１４３】
図２８は、上述したマスク板３１の構成を模式的に示す図である。同図（ａ）はマスク板３１の概略構成、及び第２レンズアレイ６との光軸上から見た位置関係を示している。また、同図（ｂ）は、照明光としての上記各ストライプの横断面方向より見た、表示パネル上の位置と光の強度との関係を示すグラフである。まず、同図（ａ）において、第２レンズアレイ６は、各セル６ａが格子状に配列されており、レンズアレイ全体が略正方形となっている。具体的には、各セル６ａがその長辺方向に４個、短辺方向に６個配列されている。
【０１４４】
但し、このような配列に限定されるものではなく、各セル６ａは例えば長辺方向に４〜８個配列され、短辺方向には、レンズアレイ全体として略正方形となるように、長辺と短辺の長さの比に応じた個数だけそれぞれ配列される。ここで、第２レンズアレイ６は、これに重ねて配置されたマスク板３１により、そのスリット３１ａの部分だけ開口している。即ち、この部分だけ光が透過する状態である。具体的には、第２レンズアレイ６の各セル６ａの中央で、長辺方向に１／３の幅ａ0だけ開口した状態となっている。尚、スリットは、単に孔が開いている状態でも良いし、この部分が透明となっている状態でも良い。
【０１４５】
このような構成により、各セル上の光源像Ｌｉの幅が規制され、結果として上記表示パネル上に照明される各ストライプの幅が規制されて、隣合うストライプ同士の干渉を計算上は防止する事ができる。しかしながら、上述のように１／３幅開口した状態では、実際は誤差や収差等の影響により、同図（ｂ）に示すように、各ストライプの幅の規制が十分ではなく、隣合うストライプ同士、即ち点線で示すＢのストライプと破線で示すＲのストライプ、或いはＲのストライプと実線で示すＧのストライプとが、まだ部分的に干渉しており、画像の色純度低下の原因となる。
【０１４６】
そこで、上記開口の幅を更に規制する。図２９は、開口幅を小さくしたマスク板３１の構成を模式的に示す図である。同図（ａ）はそのマスク板３１の概略構成、及び第２レンズアレイ６との光軸上から見た位置関係を示している。また、同図（ｂ）は、この構成における各ストライプの表示パネル上の位置と光の強度との関係を示すグラフである。
【０１４７】
同図（ａ）において、マスク板３１の中央寄りのスリット３１ａの開口幅をａ1，周辺寄りのスリット３１ａの開口幅をａ2とすると、ａ1は例えば上記ａ0の０．７〜０．９５倍であり、ａ2はａ1より更に小さい値となっている。つまり、スリット３１ａが周辺に近いほど、開口幅を小さくしている。これは、レンズアレイの各セルの内、周辺に近いものほどその各セル上の光源像Ｌｉは、収差の影響で楕円状に歪んで小さくなるので、この部分の開口幅を多めに規制する事により、照明効率の悪化を抑制しつつ上記各ストライプの幅を効果的に規制し、各ストライプ同士の干渉を防止して、色純度を損なわないようにするものである。
【０１４８】
このような構成により、同図（ｂ）に示すように、各ストライプの幅が十分に規制され、隣合うストライプ同士、即ち点線で示すＢのストライプと破線で示すＲのストライプ、或いはＲのストライプと実線で示すＧのストライプとが、互いに干渉する事なく、しかも離れてしまう事もないので、照明効率も色純度も保たれる事となる。
【０１４９】
さらに、照明効率と各ストライプの幅の規制とを更に効果的に両立させる構成として、濃度フィルターを用いる方法がある。これは、図３０に示すように、マスク板３１の各スリット３１ａの開口幅ａ0の周辺付近で、その周辺に近づくに従って透過率が低下して行くようにした構成である。これにより、照明効率を保ったまま各ストライプの幅を更に効果的に規制し、各ストライプ同士の干渉を防止して、色純度を損なわないようにする事ができる。
【０１５０】
また、他の構成として、スリットの開口幅を可変にする方法がある。これは、例えば図３１に示すように、実線で示すマスク板３１と破線で示すマスク板３５とを重ね合わせ、各スリット３１ａ，３５ａが重なりあった部分を実際のスリットとして使用するものである。この場合、各マスク板３１，３５は、同図のスリット開口幅方向である矢印Ｈｗに沿って、互いに連動してそれぞれ逆方向に駆動される構成となっている。これにより、スリットの中心位置が第２レンズアレイ６の各セル６ａに対してずれる事なく、その開口幅を調節する事ができる。
【０１５１】
開口幅の調節は、装置外部の光の強さに従って行われる。つまり、本実施形態の表示光学装置を使って画像投影を行う際に、使用する部屋の明るさに応じてスリットの開口幅を変化させる。即ち、部屋が比較的明るいときは、投影画像も明るくして見やすくするために、スリットの開口幅を大きくし、逆に部屋が比較的暗いときは、投影画像の色純度を重視して画質を高めるために、スリットの開口幅を小さくする。或いは、装置の出荷前に標準的な開口幅となるように調整して固定しても良い。
【０１５２】
マスク板の駆動については、外部の光の強さを装置に設けたセンサー（不図示）により検出し、それをフィードバックして図示しないモーター等により行う方法でも良いし、使用者が投影画像を見ながら手動で行う方法でも良い。尚、以上説明したようなマスク板を使う構成は、上述した第１，第２の実施形態においても、インテグレータ光学系と色分離を行うダイクロイックミラーとの配置を交替した上で、使用する事ができる。
【０１５３】
ところで、上述したマイクロシリンダーレンズアレイ３３の駆動方法について以下に述べる。図３２は、マイクロシリンダーレンズアレイを往復駆動する例を模式的に示している。同図において、マイクロシリンダーレンズアレイ３３は、光軸方向より見た状態で描かれている。マイクロシリンダーレンズアレイ３３の、各マイクロシリンダーレンズ３３ａの長手方向に沿った側面３３ｂの中央付近には、カム３６が当接しており、反対側の側面３３ｃは、例えばバネ３７により付勢され、マイクロシリンダーレンズアレイ３３をカム３６に押しつける状態となっている。
【０１５４】
このとき、カム３６が軸３６ａ周りに回転すると、その偏心によりマイクロシリンダーレンズアレイ３３が、マイクロシリンダーレンズ３３ａの配列の１ピッチｐだけ矢印Ｇｗ方向に往復駆動される。これにより、ここでは図示しない表示パネル１６の画素上の照明光を移動させる事ができる。
【０１５５】
また、図３３は、マイクロシリンダーレンズを連続駆動する例を斜視図で示している。ここでは多数のマイクロシリンダーレンズ３８ａがベルト状に連結されて輪状を成している。これをマイクロシリンダーレンズ群３８と呼ぶ。マイクロシリンダーレンズ群３８は、軸支された２個のプーリー３９に連架されており、そのプーリー３９間にはＰＢＳプリズム１４が配設されている。今、プーリー３９が図示しないモーター等により各矢印方向に回転すると、マイクロシリンダーレンズ群３８が回転し、マイクロシリンダーレンズ３８ａがその配列方向即ち矢印Ｇｗで示す方向に連続駆動される。
【０１５６】
このとき、光９が矢印で示す光軸方向よりマイクロシリンダーレンズ群３８に入射すると、マイクロシリンダーレンズ３８ａを経てＰＢＳプリズム１４に到達し、ここで反射されて下方の表示パネル１６を照明する。ここでは表示パネル１６上の照明光が連続的に移動する事となる。尚、同図のマイクロシリンダーレンズ，ＰＢＳプリズム，表示パネルの位置関係は、図２４に示したものとは若干異なっている。
【０１５７】
尚、特許請求の範囲で言う照明光学系及び投影光学系は、実施形態における照明光学装置及び投影光学装置にそれぞれ対応している。
【０１５８】
【発明の効果】
以上説明したように、本発明によれば、画素ピッチが細かい表示パネルにおいても、効率の良い構成が可能な、高解像度の表示光学装置を提供する事ができる。
【０１５９】
特に、同一の複数画素が隣合うように配置する事で、各マイクロレンズの焦点距離が長くなり、効率の良い構成が可能となる。
【０１６０】
また、照明側或いは投影側において、画素シフトを行う事で、同一画素がとなり合った状態でも、高解像度のカラー画像が得られる。
【図面の簡単な説明】
【図１】本発明の第１の実施形態の表示光学装置を模式的に示す構成図。
【図２】第１の実施形態の表示光学装置の主要部分を拡大して示す模式図。
【図３】複屈折マイクロシリンダーレンズアレイの材料構成を示す模式図。
【図４】画素上の照明光を移動する事によりカラー表示を行う原理の説明図
（構成）。
【図５】画素上の照明光を移動する事によりカラー表示を行う原理の説明図（動作）。
【図６】本発明の第２の実施形態の表示光学装置を模式的に示す構成図。
【図７】スクリーン上の投影光を移動する事によりカラー表示を行う原理の説明図
（構成）。
【図８】スクリーン上の投影光を移動する事によりカラー表示を行う原理の説明図（動作）。
【図９】ＴＩＲプリズム付近の構成を模式的に示す斜視図（従来例）。
【図１０】ＴＩＲプリズム付近の構成を模式的に示す斜視図（第１の実施形態）。
【図１１】ＴＩＲプリズム付近の構成を模式的に示す斜視図（第２の実施形態）。
【図１２】従来のＴＩＲプリズム付近の構成を模式的に示す図。
【図１３】従来の構成における照明光と投影光の角度範囲を示す図。
【図１４】第１の実施形態の構成における照明光と投影光の角度範囲を示す図。
【図１５】第２の実施形態の構成における照明光と投影光の角度範囲を示す図。
【図１６】本発明の第３の実施形態の表示光学装置を模式的に示す構成図。
【図１７】複屈折回折格子と第１，第２レンズアレイとの関係を模式的に示す分解斜視図。
【図１８】インテグレータが１段の場合の第１，第２レンズアレイの位置関係を模式的に示す正面図。
【図１９】複屈折マイクロレンズアレイと表示パネルとの関係を模式的に示す図。
【図２０】複屈折マイクロレンズアレイの材料構成を示す模式図。
【図２１】投影光学系における画素シフトの原理を模式的に示す斜視図。
【図２２】従来の一例であるマイクロレンズアレイと表示パネルとの関係を模式的に示す図。
【図２３】従来の他の例であるマイクロレンズアレイと表示パネルとの関係を模式的に示す図。
【図２４】本発明の第４の実施形態の表示光学装置を模式的に示す構成図。
【図２５】本発明の第５の実施形態の表示光学装置を模式的に示す構成図。
【図２６】本発明の第４或いは第５の実施形態の表示光学装置の主要部分を拡大して示す模式図。
【図２７】表示パネル上にＲＧＢ各色でストライプ状の照明を行う様子を模式的に示す図。
【図２８】マスク板の構成を模式的に示す図。
【図２９】開口幅を小さくしたマスク板の構成を模式的に示す図。
【図３０】濃度フィルターを用いたマスク板の構成を模式的に示す図。
【図３１】スリットの開口幅を可変にしたマスク板の構成を模式的に示す図。
【図３２】マイクロシリンダーレンズアレイを往復駆動する例を示す模式図。
【図３３】マイクロシリンダーレンズアレイを連続駆動する例を示す斜視図。
【符号の説明】
１    光源
２    リフレクター
３    複屈折回折格子
４    第１レンズアレイ
６    第２レンズアレイ
７    ＵＶＩＲカットフィルター
８    重ね合わせレンズ
１４    ＰＢＳプリズム
１５    複屈折マイクロレンズアレイ
１６    表示パネル
１７    投影光学系
１８    像シフト用レンズ
１９    アクチュエータ
２２    ＴＩＲプリズム
２３，３２    コンデンサーレンズ
３１，３５    マスク板
３３    マイクロシリンダーレンズアレイ
３４    照明・投影分離光学系
Ｒm，Ｇm，Ｂm    ダイクロイックミラー
【図１】
0004147698.tif 000003
【図２】
0004147698.tif 000004
【図３】
0004147698.tif 000005
【図４】
0004147698.tif 000006
【図５】
0004147698.tif 000007
【図６】
0004147698.tif 000008
【図７】
0004147698.tif 000009
【図８】
0004147698.tif 000010
【図９】
0004147698.tif 000011
【図１０】
0004147698.tif 000012
【図１１】
0004147698.tif 000013
【図１２】
0004147698.tif 000014
【図１３】
0004147698.tif 000015
【図１４】
0004147698.tif 000016
【図１５】
0004147698.tif 000017
【図１６】
0004147698.tif 000018
【図１７】
0004147698.tif 000019
【図１８】
0004147698.tif 000020
【図１９】
0004147698.tif 000021
【図２０】
0004147698.tif 000022
【図２１】
0004147698.tif 000023
【図２２】
0004147698.tif 000024
【図２３】
0004147698.tif 000025
【図２４】
0004147698.tif 000026
【図２５】
0004147698.tif 000027
【図２６】
0004147698.tif 000028
【図２７】
0004147698.tif 000029
【図２８】
0004147698.tif 000030
【図２９】
0004147698.tif 000031
【図３０】
0004147698.tif 000032
【図３１】
0004147698.tif 000033
【図３２】
0004147698.tif 000034
【図３３】
0004147698.tif 000035